(57)【要約】【課題】暖房運転停止後のデフロスト運転において、人が感じる室温低下による不快感を抑制することができる空調機を提供する。【解決手段】空調機１では、デフロスト運転として、少なくともファン稼働デフロスト運転を含んでいる。ファン稼働デフロスト運転は、暖房運転停止後に冷媒の循環方向を冷房運転時の循環方向に切り換えて室内ファン３５を稼働させる運転であり、制御部５０は室内温度に基づいてファン稼働デフロスト運転を行うか否かを決定する。それゆえ、空調機１では、室内温度が高いときのみファン稼働デフロスト運転を行うことができるので、人が感じる室温低下による不快感を抑制することができる。【選択図】図４
2013130341.tif 000002
【特許請求の範囲】
【請求項１】
蒸気圧縮式冷凍サイクルを利用する空調機であって、
圧縮機（１３）と、
室内熱交換器（１１）と、
室外熱交換器（１７）と、
減圧手段（１９）と、
冷房運転時に前記圧縮機（１３）、前記室外熱交換器（１７）、前記減圧手段（１９）、前記室内熱交換器（１７）の順に接続され、暖房運転時に前記圧縮機（１３）、前記室内熱交換器（１１）、前記減圧手段（１９）、前記室外熱交換器（１７）の順に接続されるように、冷媒の循環方向を切り換える切換弁（１５）と、
吸込口から前記室内熱交換器（１１）を経て吹出口に向う空気流を発生させる室内ファン（３５）と、
前記室外熱交換器（１７）の着霜を検知または推定したとき、前記冷媒の循環方向を冷房運転時の循環方向に切り換えてデフロスト運転を行う制御部（５０）と、
を備え、
前記デフロスト運転は、少なくとも暖房運転停止後に前記冷媒の循環方向を冷房運転時の循環方向に切り換えて前記室内ファン（３５）を稼働させるファン稼働デフロスト運転を含み、
前記制御部（５０）は、室内温度に基づいて前記ファン稼働デフロスト運転を行うか否かを決定する、
空調機。
【請求項２】
前記制御部（５０）は、前記室内温度が所定値より低いとき、前記ファン稼働デフロスト運転を行わない、
請求項１に記載の空調機。
【請求項３】
前記室内の人の有無を検知する人検知センサ（４６）をさらに備え、
前記制御部（５０）は、前記室内温度が前記所定値より低いときでも、前記人検知センサ（４６）が人を検知していないときは、前記ファン稼働デフロスト運転を行う、
請求項１に記載の空調機。
【請求項４】
前記制御部（５０）は、前記ファン稼働デフロスト運転中に前記室内温度が所定温度範囲になったとき、前記ファン稼働デフロスト運転を停止する、
請求項１に記載の空調機。
【請求項５】
前記制御部（５０）は、外気温度が所定値より低いとき、前記ファン稼働デフロスト運転を行わない、
請求項１に記載の空調機。
【請求項６】
前記ファン稼働デフロスト運転を行うように設定する設定手段をさらに備え、
前記制御部（５０）は、暖房運転停止後、前記設定手段により前記ファン稼働デフロスト運転が設定されたとき、暖房運転停止からの経過時間が所定時間未満の場合のみ前記ファン稼働デフロスト運転を行う、
請求項１に記載の空調機。
【請求項７】
所定時刻に暖房運転を開始するように予約する予約手段をさらに備え、
前記制御部（５０）は、前記予約手段により暖房運転が予約されているとき、前記所定時刻の近傍では前記ファン稼働デフロスト運転を行わない、
請求項１に記載の空調機。
【発明の詳細な説明】
【技術分野】
【０００１】
本発明は、空調機に関し、特に、暖房運転停止後にデフロスト運転を行う空調機に関する。
【背景技術】
【０００２】
デフロスト運転時の室温低下を抑制する手段を備えた空調機として、特許文献１（特開２００７−１５５２６１号公報）に、室内ファンを停止することなくデフロスト運転を行い、暖房運転再開までの時間を早くすることによって室温の低下を抑える空調機が開示されている。
【発明の概要】
【発明が解決しようとする課題】
【０００３】
しかしながら、特許文献１には暖房運転中の室内が無人の場合のデフロスト運転について言及されているだけで、暖房運転停止後で室内に人が居る場合のデフロスト運転については不明である。
【０００４】
本発明の課題は、暖房運転停止後のデフロスト運転において、人が感じる室温低下による不快感を抑制することができる空調機を提供することにある。
【課題を解決するための手段】
【０００５】
本発明の第１観点に係る空調機は、蒸気圧縮式冷凍サイクルを利用する空調機であって、圧縮機と、室内熱交換器と、室外熱交換器と、減圧手段と、切換弁と、室内ファンと、制御部とを備えている。切換弁は、冷房運転時に圧縮機、室外熱交換器、減圧手段、室内熱交換器の順に接続され、暖房運転時に圧縮機、室内熱交換器、減圧手段、室外熱交換器の順に接続されるように、冷媒の循環方向を切り換える。室内ファンは、吸込口から室内熱交換器を経て吹出口に向う空気流を発生させる。制御部は、室外熱交換器の着霜を検知または推定したとき、冷媒の循環方向を冷房運転時の循環方向に切り換えてデフロスト運転を行う。デフロスト運転は、少なくともファン稼働デフロスト運転を含む。ファン稼働デフロスト運転は、暖房運転停止後に冷媒の循環方向を冷房運転時の循環方向に切り換えて室内ファンを稼働させる運転である。制御部は、室内温度に基づいてファン稼働デフロスト運転を行うか否かを決定する。
【０００６】
暖房運転停止後のファン稼働デフロスト運転は、直前まで暖めた室内の温度を低下させてしまうので、人に室内温度低下による不快感を与えることがある。しかし、この空調機では、室内温度に基づいてファン稼働デフロスト運転を行うか否かを決定することによって、室内温度が高いときのみファン稼働デフロスト運転を行うことができるので、人が感じる室内温度低下による不快感を抑制することができる。
【０００７】
本発明の第２観点に係る空調機は、第１観点に係る空調機であって、制御部は、室内温度が所定値より低いとき、ファン稼働デフロスト運転を行わない。
【０００８】
この空調機では、室内温度が低いときのファン稼働デフロスト運転が回避されることによって、人が感じる室温低下による不快感を抑制することができる。
【０００９】
本発明の第３観点に係る空調機は、第１観点に係る空調機であって、室内の人の有無を検知する人検知センサをさらに備えている。制御部は、室内温度が所定値より低いときでも、人検知センサが人を検知していないときは、ファン稼働デフロスト運転を行う。
【００１０】
この空調機では、室内に人が居ないときは、室温を低下させてでもファン稼働デフロスト運転を優先させることによって、次回に高い能力で暖房運転を行うための備えができる。
【００１１】
本発明の第４観点に係る空調機は、第１観点に係る空調機であって、制御部は、ファン稼働デフロスト運転中に室内温度が所定温度範囲になったとき、ファン稼働デフロスト運転を停止する。
【００１２】
この空調機では、室内温度が低下したときのファン稼働デフロスト運転が回避されることによって、人が感じる室温低下による不快感を抑制することができる。
【００１３】
本発明の第５観点に係る空調機は、第１観点に係る空調機であって、制御部は、外気温度が所定値より低いとき、ファン稼働デフロスト運転を行わない。
【００１４】
この空調機では、暖房運転停止後の室内温度が高くても、外気温が低いときは室内温度が低下しやすいので、ファン稼働デフロスト運転が回避されることによって、人が感じる室温低下による不快感を抑制することができる。
【００１５】
本発明の第６観点に係る空調機は、第１観点に係る空調機であって、ファン稼働デフロスト運転を行うように設定する設定手段をさらに備えている。制御部は、暖房運転停止後、設定手段によりファン稼働デフロスト運転が設定されたとき、暖房運転停止からの経過時間が所定時間未満の場合のみファン稼働デフロスト運転を行う。
【００１６】
ユーザーの意思でファン稼働デフロスト運転が設定されても、暖房運転停止から所定時間以上経過しているときは室内温度も低下しているので、さらに室温を低下させるファン稼働デフロスト運転は回避されることが好ましい。この空調機では、制御部は暖房運転停止からの経過時間が所定時間未満の場合のみファン稼働デフロスト運転を行うので、人が感じる室温低下による不快感を抑制することができる。
【００１７】
本発明の第７観点に係る空調機は、第１観点に係る空調機であって、所定時刻に暖房運転を開始するように予約する予約手段をさらに備えている。制御部は、予約手段により暖房運転が予約されているとき、所定時刻の近傍ではファン稼働デフロスト運転を行わない。
【００１８】
この空調機では、暖房運転が始まる前に室温を低下させることは、暖房運転開始後の室内温度上昇を遅らせるので、暖房運転の開始時刻前のファン稼働デフロスト運転は回避されることが好ましい。この空調機では、制御部は予約手段により暖房運転が予約されているとき、所定時刻の近傍ではファン稼働デフロスト運転を行わないので、人に暖房運転開始後の室内温度上昇が遅いと感じさせるような事態が起こり難い。
【発明の効果】
【００１９】
本発明の第１観点に係る空調機では、室内温度に基づいてファン稼働デフロスト運転を行うか否かを決定することによって、室内温度が高いときのみファン稼働デフロスト運転を行うことができるので、人が感じる室内温度低下による不快感を抑制することができる。
【００２０】
本発明の第２観点に係る空調機では、室内温度が低いときのファン稼働デフロスト運転が回避されることによって、人が感じる室温低下による不快感を抑制することができる。
【００２１】
本発明の第３観点に係る空調機では、室内に人が居ないときは、室温を低下させてでもファン稼働デフロスト運転を優先させることによって、次回に高い能力で暖房運転を行うための備えができる。
【００２２】
本発明の第４観点に係る空調機では、室内温度が低下したときのファン稼働デフロスト運転が回避されることによって、人が感じる室温低下による不快感を抑制することができる。
【００２３】
本発明の第５観点に係る空調機では、暖房運転停止後の室内温度が高くても、外気温が低いときは室内温度が低下しやすいので、ファン稼働デフロスト運転が回避されることによって、人が感じる室温低下による不快感を抑制することができる。
【００２４】
本発明の第６観点に係る空調機では、制御部は暖房運転停止からの経過時間が所定時間未満の場合のみファン稼働デフロスト運転を行うので、人が感じる室温低下による不快感を抑制することができる。
【００２５】
本発明の第７観点に係る空調機では、制御部は予約手段により暖房運転が予約されているとき、所定時刻の近傍ではファン稼働デフロスト運転を行わないので、人に暖房運転開始後の室内温度上昇が遅いと感じさせるような事態が起こり難い。
【図面の簡単な説明】
【００２６】
【図１】本発明の一実施形態に係る空調機の構成図。
【図２】空調機の室内機およびその空調機を遠隔操作するためのリモートコントロールユニットの斜視図。
【図３】空調機の制御ブロック図。
【図４】ファン稼働デフロスト運転の制御フロー。
【発明を実施するための形態】
【００２７】
以下図面を参照しながら、本発明の実施形態について説明する。なお、以下の実施形態は、本発明の具体例であって、本発明の技術的範囲を限定するものではない。
【００２８】
（１）空調機１の構成
図１は、本発明の一実施形態に係る空調機１の構成図である。図１において、空調機１は、冷房運転および暖房運転が可能な冷凍装置であり、室内機２と、室外機３と、室外機３と室内機２とを接続するための液冷媒連絡配管７、及びガス冷媒連絡配管９とを備えている。空調機１の冷凍回路には、一般的な空調用冷媒であるＨＦＣ−Ａ４１０が封入されている。
【００２９】
（１−１）室内機２
図１において、室内機２は、室内熱交換器１１と、室内ファン３５とを有している。室内熱交換器１１は、クロスフィン型熱交換器であり、室内空気との熱交換によって内部を流れる冷媒を蒸発又は凝縮させ、室内の空気を冷却又は加熱することができる。
【００３０】
図２は、空調機１の室内機２、及び空調機１を遠隔操作するためのリモートコントロールユニット５２の斜視図である。図２において、リモートコントロールユニット５２（これ以後、リモコン５２とよぶ）は、ユーザーの操作に応じて、室内機２及び室外機３に内蔵されている制御部と交信して空調機を制御する。
【００３１】
（１−２）室外機３
図１において、室外機３は、主に、圧縮機１３、四路切換弁１５、室外熱交換器１７、膨張弁１９、及びアキュムレータ２１を有している。さらに、室外機３は室外ファン５５も有している。
【００３２】
（１−２−１）圧縮機１３、四路切換弁１５およびアキュムレータ２１
圧縮機１３は、ガス冷媒を吸入して圧縮する。圧縮機１３の吸込口手前には、アキュムレータ２１が配置されており、圧縮機１３に液冷媒が直に吸い込まれないようになっている。
【００３３】
四路切換弁１５は、冷房運転と暖房運転との切換時に、冷媒の流れの方向を切り換える。冷房運転時、四路切換弁１５は、圧縮機１３の吐出側と室外熱交換器１７のガス側とを接続するとともに圧縮機１３の吸入側と室内熱交換器１１のガス側とを接続する。つまり、図１の四路切換弁１５内の実線で示された状態である。
【００３４】
また、暖房運転時、四路切換弁１５は、圧縮機１３の吐出側と室内熱交換器１１のガス側とを接続するとともに圧縮機１３の吸入側と室外熱交換器１７のガス側とを接続する。つまり、図１の四路切換弁１５内の点線で示された状態である。
【００３５】
（１−２−２）室外熱交換器１７および室外ファン５５
室外熱交換器１７は、室外空気との熱交換によって内部を流れる冷媒を凝縮又は蒸発させることができる。なお、室外ファン５５が、この室外熱交換器１７に対面するように配置されており、回転することによって室外空気を取り込んで室外熱交換器１７に送風し、冷媒と室外空気との熱交換を促進する。
【００３６】
（１−２−３）膨張弁１９
膨張弁１９は、冷媒圧力や冷媒流量の調節を行うために、室外熱交換器１７と室内熱交換器１１の間の配管に接続され、冷房運転時および暖房運転時のいずれにおいても、冷媒を膨張させる機能を有している。
【００３７】
（１−３）制御部５０
図３は、空調機１の制御ブロック図である。図３において、制御部５０はリモコン５２からの指令信号に基づいて、圧縮機１３の運転周波数、四路切換弁１５の切換動作、膨張弁１９の開度、および風向調整羽根駆動モータ６２の回転を制御する。
【００３８】
図１に示すように、制御部５０は、室内機２内に内蔵されている室内制御部５０ａと室外機３内に内蔵されている室外制御部５０ｂとを有している。室内制御部５０ａとリモコン５２との間では赤外線信号の送受信が行われる。室内制御部５０ａと室外制御部５０ｂとの間では信号の送受信がワイヤを介して行われる。
【００３９】
（１−４）リモコン５２
リモコン５２には、運転スイッチ２２、運転切換スイッチ２４、温度設定スイッチ２６、入りタイマースイッチ２８、ファン稼働デフロスト運転設定スイッチ３２、及び風向調整スイッチ６１が設けられている。
【００４０】
運転スイッチ２２は、操作される毎に空調機１の運転と停止とを交互に切り換える。運転切換スイッチ２４は、操作される毎に運転を自動→冷房→除湿→暖房の順に切り換える。温度設定スイッチ２６は、上押操作される毎に設定温度が上昇し、下押操作される毎に設定温度が降下する。入りタイマースイッチ２８は、操作される毎に１時間後、２時間後・・・６時間後のように順次に入り時刻が変更される。
【００４１】
また。風向調整スイッチ６１が操作される毎に、制御部５０（室内制御部５０ａ）が風向調整羽根駆動モータ６２を制御し、風向調整羽根６３（図２参照）の上下遥動と任意位置固定とを交互に切り換える。
【００４２】
（１−５）各種センサ４２〜４８
空調機１には、サーミスタから成る室外熱交換器温度センサ４２、室内温度センサ４４、外気温度センサ４８が設けられている。室外熱交換器温度センサ４２は、室外熱交換器１７に取付けられ、室外熱交換器１７の所定領域を流れる冷媒の温度を検知する。室内温度センサ４４は、室内機２の吸込口に取り付けられ、室内空気温度を検知する。外気温度センサ４８は、室外機３の周囲温度を検知する。そして、これらの温度センサの測定値に基づき、制御部５０が空気調和装置１を運転制御する。
【００４３】
また、空調機１の前面下部には人検知センサ４６（図２参照）が設けられている。人検知センサ４６は、焦電型赤外線検知素子から成り、監視範囲の入った物体から発せられる赤外線の変化によって人体等の有無を検知する。
【００４４】
（１−６）室内ファン３５
室内ファン３５は、ファン３５ａと、ファン３５ａを回転させるための室内ファンモータユニット３５ｂとを有している。ファン３５ａは、ＡＳ樹脂などの樹脂材料で、長細い円筒形状に形成されており、長軸が水平になるように配置される。
【００４５】
室内ファンモータユニット３５ｂは、アウターロータ型のモータであり、回転子と固定子とを有している。回転子は、微小な磁石粒を含む樹脂材料により形成されており、固定子から発生する磁力により回転する。
【００４６】
（２）空調機１の動作
空調機１では、四路切換弁１５によって、冷媒の循環サイクルを冷房運転時の循環サイクルおよび暖房運転時の循環サイクルのいずれか一方に切り換えることが可能である。
【００４７】
（２−１）冷房運転
冷房運転では、四路切換弁１５が第１状態（図１の実線）に設定される。そして、この状態で制御部５０が圧縮機１３を運転すると、室外熱交換器１７が凝縮器となり、室内熱交換器１１が蒸発器となる蒸気圧縮冷凍サイクルが行われる。
【００４８】
圧縮機１３から吐出された高圧の冷媒は、室外熱交換器１７で室外空気と熱交換して凝縮する。室外熱交換器１７を通過した冷媒は、膨張弁１９を通過する際に減圧され、その後に室内熱交換器１１で室内空気と熱交換して蒸発する。室内熱交換器１１で冷却された調和空気は室内ファン３５を介して吹出口から室内へ吹き出される。室内熱交換器１１を通過した冷媒は、圧縮機１３へ吸入されて圧縮される。
【００４９】
（２−２）暖房運転
暖房運転では、四路切換弁１５が第２状態（図１の点線）に設定される。そして、この状態で制御部５０が圧縮機１３を運転すると、室外熱交換器１７が蒸発器となり、室内熱交換器１１が凝縮器となる蒸気圧縮冷凍サイクルが行われる。
【００５０】
圧縮機１３から吐出された高圧の冷媒は、室内熱交換器１１で室内空気と熱交換して凝縮する。室内熱交換器１１で加温された調和空気は室内ファン３５を介して吹出口から室内へ吹き出される。凝縮した冷媒は、膨張弁１９を通過する際に減圧された後、室外熱交換器１７で室外空気と熱交換して蒸発する。室外熱交換器１７を通過した冷媒は、圧縮機１３へ吸入されて圧縮される。
【００５１】
（２−３）デフロスト運転
制御部５０は、暖房運転開始から所定時間が経過し、室外熱交換器１７の温度が所定温度を下回ったとき、或いは、暖房運転開始から所定時間が経過し、外気温が所定温度を下回ったとき、室外熱交換器１７が着霜したと判定し、デフロスト運転を開始する。
【００５２】
デフロスト運転は、四路切換弁１５が第１状態（図１の実線）に設定され、冷媒の循環サイクルが冷房運転時の循環サイクルに切り換わる。その結果、圧縮機１３から吐出された高圧高温ガス冷媒が室外熱交換器１７に流入し、室外熱交換器１７が加熱され、室外熱交換器１７の表面に付着した霜が融解する。このとき、室外熱交換器１７を通過する高温高圧ガス冷媒の熱量は霜に融解熱として奪われるので、凝縮して高温高圧液冷媒となる。
【００５３】
室外熱交換器１７を通過した冷媒は、膨張弁１９を通過する際に減圧され、その後に室内熱交換器１１で室内空気と熱交換して蒸発する。室内熱交換器１１を通過した冷媒は、圧縮機１３へ吸入されて圧縮される。
【００５４】
また、制御部５０は、デフロスト運転を行う際、室内ファン３５を止めるデフロスト運転と、室内ファン３５を稼働させるデフロスト運転とを適宜選択する。後者は、人が室内に居る場合には冷風によってドラフト感を与える、或いは、室内温度を下げてしまうことがあるので、通常では、室内に人が居ないときなどに選択される。
【００５５】
しかしながら、室内ファン３５を稼働させながらのデフロスト運転は、室内の熱量を回収しながらデフロスト運転を行うので、室外熱交換器１７に付着した霜を短時間で融解させことができる、特に、運転停止後のファン稼働デフロスト運転は、次回に高い能力で暖房運転を行うための備えができるというメリットがある。
【００５６】
そこで、出願人は、暖房運転停止後に室内ファン３５を稼働させるデフロスト運転をファン稼働デフロスト運転として定義し、人が感じる室内温度低下による不快感を抑制したファン稼働デフロスト運転の制御について研究を行った。以下、ファン稼働デフロスト運転について、制御フローを参照しながら説明する。
【００５７】
（３）ファン稼働デフロスト運転制御
図４は、ファン稼働デフロスト運転の制御フローである。図４において、ステップＳ１で制御部５０は暖房運転を停止したか否かを判定する。例えば、ユーザーがリモコン５２の運転スイッチ２２をオフしたとき、リモコン５２から停止信号が制御部５０に送られ、停止信号を受信した制御部５０は暖房運転を停止する。制御部５０は、暖房運転を停止したと判定したときステップＳ２へ進み、暖房運転を停止していないと判定したときは待機して判定を継続する。
【００５８】
ステップＳ２で制御部５０は暖房運転停止後の経過時間ｔを計時する。これ以後、経過時間ｔは、ファン稼働デフロスト運転の開始判断、または終了判断の判断要件として利用される。
【００５９】
ステップＳ３で制御部５０は室外熱交換器１７が着霜しているか否かを判定する。例えば、暖房運転開始から所定時間が経過し、室外熱交換器１７の温度が所定温度を下回ったとき、或いは、暖房運転開始から所定時間が経過し、外気温が所定温度を下回ったとき、制御部５０は室外熱交換器１７が着霜したと判定する。制御部５０は、室外熱交換器１７が着霜していると判定したときステップＳ４に進み、室外熱交換器１７が着霜していないと判定したときは制御を継続せずに終了する。
【００６０】
ステップＳ４で制御部５０はファン稼働デフロスト運転が設定されているか否かを判定する。例えば、ユーザーがリモコン５２のファン稼働デフロスト運転設定スイッチ３２をオンにしているとき、制御部５０はファン稼働デフロスト運転が設定されていると判定する。制御部５０は、ファン稼働デフロスト運転が設定されていると判定したときステップＳ５へ進み、ファン稼働デフロスト運転が設定されていないと判定したときは待機して判定を継続する。
【００６１】
ステップＳ５で制御部５０は、経過時間ｔが所定時間ｔａに達したか否かを判定する。経過時間ｔが所定時間ｔａに達しているときは、室内温度は低下しており、ファン稼働デフロスト運転によるさらなる温度低下は回避されるべきである。それゆえ、制御部５０は、経過時間ｔが所定時間ｔａに達していないと判定したときステップＳ６へ進み、経過時間ｔが所定時間ｔａに達したと判定したときはステップＳ１３へ進み、ファン稼働デフロスト運転の制御を終了する。
【００６２】
ステップＳ６で制御部５０は時刻が暖房開始予定時刻前のファン稼働デフロスト運転の不許可時間帯内であるか否かを判定する。例えば、ユーザーがリモコン５２の入りタイマースイッチ２８を介して暖房運転が開始される時刻を設定している場合、その設定時刻の所定時間前からその設定時刻までの範囲はファン稼働デフロスト運転の不許可時間帯である。具体的には、ユーザーが深夜から翌朝まで暖房運転を継続し、入りタイマーの設定時刻前に暖房運転を停止させた場合、せっかく暖まった室内の温度が低下することを回避するために、ファン稼働デフロスト運転は行われないことが好ましい。
【００６３】
それゆえ、制御部５０は、時刻がファン稼働デフロスト運転の不許可時間帯内であると判定したときは制御を行わず終了し、時刻がファン稼働デフロスト運転の不許可時間帯内ではないと判定したときはステップＳ７へ進む。
【００６４】
ステップＳ７で制御部５０は室温Ｔｒが所定値Ｔｒａ以上であるか否かを判定する。制御部５０は、室内温度センサ４４の検知温度を室温Ｔｒとして読み込む。ファン稼働デフロスト運転は、室温低下を伴うので、少なくとも室温Ｔｒがファン稼働デフロスト運転による温度低下を勘案しても十分に暖かさを感じさせる所定値Ｔｒａ以上のときに実行されることが好ましい。それゆえ、制御部５０は、室温Ｔｒが所定値Ｔｒａ以上であると判定したときはステップＳ８へ進み、室温Ｔｒが所定値Ｔｒａ未満であると判定したときはステップＳ８１へ進む。
【００６５】
ステップＳ８で制御部５０は外気温Ｔｏが所定値Ｔｏａ以上であるか否かを判定する。制御部５０は、外気温度センサ４８の検知温度を外気温Ｔｏとして読み込む。外気温Ｔｏが低過ぎるときはファン稼働デフロスト運転によって室温が低下し易いので、外気温Ｔｏが少なくとも室温が低下しにくい所定値Ｔｏａ以上のとき、ファン稼働デフロスト運転が実行されることが好ましい。それゆえ、制御部５０は、外気温Ｔｏが所定値Ｔｏａ以上であると判定したときはステップＳ９へ進み、外気温Ｔｏが所定値Ｔｏａ未満であると判定したときはステップＳ８１へ進む。
【００６６】
ステップＳ８１では制御部５０は室内に人が居るか否かを判定する。制御部５０は、人検知センサ４６を介して人の有無を判定する。ファン稼働デフロスト運転は、室内に人が居ないときは室温Ｔｒが所定値Ｔｒｏより低くとも実行されればよい。それゆえ、制御部５０は、人が居ないと判定したときはステップＳ９へ進み、人が居ると判定したときはステップＳ１３へ進みファン稼働デフロスト運転の制御を終了する。
【００６７】
ステップＳ９で制御部５０はファン稼働デフロスト運転を開始し、ステップＳ１０へ進む。ステップＳ１０で制御部５０は室温Ｔｒが所定値Ｔｒａ以上であるか否かを判定する。ファン稼働デフロスト運転は、室温低下を伴うので、少なくとも室温Ｔｒがファン稼働デフロスト運転による温度低下を勘案しても十分に暖かさを感じさせる所定値Ｔｒａ以上のときに実行されることが好ましい。
【００６８】
また、ファン稼働デフロスト運転開始時に室温Ｔｒが所定値Ｔｒａ以上であっても、ファン稼働デフロスト運転中に室温Ｔｒが所定値Ｔｒａ未満となることも想定される。それゆえ、制御部５０は、室温Ｔｒがまだ所定値Ｔｒａ以上であると判定したときはステップＳ１１へ進み、室温Ｔｒが所定値Ｔｒａ未満になったと判定したときはステップＳ１１１へ進む。
【００６９】
ステップＳ１１で制御部５０は外気温Ｔｏが所定値Ｔｏａ以上であるか否かを判定する。外気温が低過ぎるときはファン稼働デフロスト運転によって室温が低下し易いので、外気温Ｔｏは少なくとも室温が低下しにくい所定値Ｔｏａ以上のときにファン稼働デフロスト運転が実行されることが好ましい。
【００７０】
また、ファン稼働デフロスト運転開始時に外気温Ｔｏが所定値Ｔｏａ以上であっても、ファン稼働デフロスト運転中に外気温Ｔｏが所定値Ｔｏａ未満となることも想定される。それゆえ、制御部５０は、外気温Ｔｏがまだ所定値Ｔｏａ以上であると判定したときはステップＳ１２へ進み、外気温Ｔｏが所定値Ｔｏａ未満になったと判定したときはステップＳ１１１へ進む。
【００７１】
ステップＳ１１１では制御部５０は室内に人が居るか否かを判定する。ファン稼働デフロスト運転は、室内に人が居ないときは室温Ｔｒが所定値Ｔｒｏより低くなっていても、また、外気温Ｔｏが所定値Ｔｏａより低くなっていても実行されればよい。
【００７２】
但し、室内に人が居て室温Ｔｒが所定値Ｔｒｏより低くなっている場合、或いは、外気温Ｔｏが所定値Ｔｏａより低くなっている場合は、ファン稼働デフロスト運転の制御は終了されるべきである。それゆえ、制御部５０は、人が居ないと判定したときはステップＳ１２へ進み、人が居ると判定したときはステップＳ１３へ進みファン稼働デフロスト運転の制御を終了する。
【００７３】
ステップＳ１２で制御部５０は、経過時間ｔが終了時間ｔｆに達したか否かを判定する。し、経過時間ｔが終了時間ｔｆに達したと判定したときはステップＳ１３へ進み、経過時間ｔが所定時間ｔｆに達していないと判定したときはステップＳ１０に戻る。ステップＳ１３で制御部５０は、ファン稼働デフロスト運転の制御を終了する。
【００７４】
（４）特徴
（４−１）
空調機１では、デフロスト運転として、少なくともファン稼働デフロスト運転を含んでいる。ファン稼働デフロスト運転は、暖房運転停止後に冷媒の循環方向を冷房運転時の循環方向に切り換えて室内ファン３５を稼働させる運転であり、制御部５０は室内温度に基づいてファン稼働デフロスト運転を行うか否かを決定する。それゆえ、空調機１では、室内温度が高いときのみファン稼働デフロスト運転を行うことができるので、人が感じる室温低下による不快感を抑制することができる。
【００７５】
（４−２）
制御部５０は、室内温度センサ４４の検知温度を室温Ｔｒとして読み込む。ファン稼働デフロスト運転は、室温低下を伴うので、室温Ｔｒが所定値Ｔｒａより低いとき、ファン稼働デフロスト運転は行われない。
【００７６】
（４−３）
制御部５０は、人検知センサ４６を介して人の有無を判定する。ファン稼働デフロスト運転は、室内に人が居ないときは室温Ｔｒが所定値Ｔｒｏより低くとも実行されればよい。それゆえ、制御部５０は、室温Ｔｒが所定値Ｔｒｏより低いときでも、人検知センサ４６が人を検知していないときは、ファン稼働デフロスト運転を行う。それゆえ、空調機１では、次回に高い能力で暖房運転を行うための備えができる。
【００７７】
（４−４）
制御部５０は、ファン稼働デフロスト運転中に室温Ｔｒが所定温度範囲になったとき、ファン稼働デフロスト運転を停止する。例えば、ファン稼働デフロスト運転開始時に室温Ｔｒが所定値Ｔｒａ以上であっても、ファン稼働デフロスト運転中に室温Ｔｒが所定値Ｔｒａ未満となることも想定される。それゆえ、制御部５０は、室温Ｔｒが所定値Ｔｒａ未満になったと判定したときはファン稼働デフロスト運転を停止し、人が感じる室温低下による不快感を抑制する。
【００７８】
（４−５）
制御部５０は、外気温度センサ４８の検知温度を外気温Ｔｏとして読み込む。外気温Ｔｏが低過ぎるときはファン稼働デフロスト運転によって室温が低下し易いので、外気温ｔｏが所定値Ｔｏａより低いとき、ファン稼働デフロスト運転は行われない。
【００７９】
（４−６）
空調機１では、ユーザーがリモコン５２のファン稼働デフロスト運転設定スイッチ３２をオンにしているとき、制御部５０はファン稼働デフロスト運転が設定されていると判定する。さらに、制御部５０は、暖房運転停止後、ファン稼働デフロスト運転設定スイッチ３２によりファン稼働デフロスト運転が設定されたとき、暖房運転停止からの経過時間ｔが所定時間ｔａ未満の場合のみファン稼働デフロスト運転を行う。それゆえ、暖房運転停止から所定時間ｔ以上経過して低下した室温Ｔｒをさらに低下させるような事態は回避される。
【００８０】
（４−７）
制御部５０は、ユーザーがリモコン５２の入りタイマースイッチ２８を介して暖房運転が開始される時刻を設定している場合、その設定時刻の所定時間前からその設定時刻までの範囲はファン稼働デフロスト運転の不許可時間帯として、ファン稼働デフロスト運転を行わない。それゆえ、暖房運転が始まる前に室温を低下させて暖房運転開始後の室内温度上昇を遅らせるような事態は回避される。
【００８１】
（５）その他
（５−１）ファン稼働デフロスト運転の不許可時間帯について
上記ファン稼働デフロスト運転制御のステップＳ６の説明において述べた、暖房開始予定時刻前のファン稼働デフロスト運転の不許可時間帯について、さらに詳細な事項を説明する。
【００８２】
ステップＳ６では、ユーザーがリモコン５２の入りタイマースイッチ２８を介して暖房運転が開始される時刻を設定している場合、その設定時刻の所定時間前からその設定時刻までの範囲をファン稼働デフロスト運転の不許可時間帯とする旨の説明をしたが、それだけに限定されるものでではない。
【００８３】
本実施形態に係る空調機１では、翌朝暖房準備機能を有している。翌朝暖房準備機能とは、リモコン５２に設けられている翌朝暖房準備設定スイッチ３４がオンのとき、任意の設定時刻ｔ１を挟んだ所定の設定時間帯に圧縮機１３を低能力で運転し暖房運転時と同じ冷凍サイクルで冷媒を循環させる機能である。
【００８４】
設定時間帯の開始点である開始時刻ｔ１ｓは設定時刻ｔ１より所定時間早く、設定時間帯の終了点である終了時刻ｔ１ｆは設定時刻ｔ１より所定時間遅い。
【００８５】
この設定時間帯ｔ１ｓ〜ｔ１ｆでは、リモコン５２から制御部５０へ暖房運転開始の指令が入れば、制御部５０は圧縮機１３の運転周波数を最大能力まで立ち上げる。圧縮機１３は事前の低能力運転によって暖められているので、素早い上がりで暖房を開始することができる。
【００８６】
つまり、翌朝暖房準備機能は素早い上がりで暖房を開始することを目的としているので、設定時間帯ｔ１ｓ〜ｔ１ｆの前の一定期間ｔｐ（例えば３０分間）に、ユーザーが暖房運転を停止した場合、室温Ｔｒがその時点より低下することは、その後の暖房の素早い立ち上がりを阻害するので、回避されることが好ましい。
【００８７】
それゆえ、翌朝暖房準備機能における設定時間帯ｔ１ｓ〜ｔ１ｆの前の一定期間ｔｐ（例えば３０分間）では、たとえ、ユーザーが暖房運転を停止し、ファン稼働デフロスト運転の条件が成立している場合でもファン稼働デフロスト運転を行わない。
【００８８】
（５−２）適用冷媒について
上記実施形態に係る空調機１では、一般的な空調用冷媒であるＨＦＣ―Ａ４１０が封入されているが、もちろん、特定の冷媒に限定されるものではなく、地球温暖化係数の低いＣＯ２であってもよい。ＣＯ２の場合、圧縮機１３から吐出された高温・高圧の冷媒は超臨界状態となり、冷房運転時は室外熱交換器１７で、暖房運転時は室内熱交換器１１で放熱し温度が低下していく。
【００８９】
したがって、ＣＯ２冷媒の場合、冷房運転時の室外熱交換器１７、および暖房運転時の室内熱交換器１１はＣＯ２の放熱器として機能する。
【産業上の利用可能性】
【００９０】
本発明は、壁掛け式空調機に有用である。
【符号の説明】
【００９１】
１  空調機
１１  室内熱交換器
１３  圧縮機
１５  四路切換弁
１７  室外熱交換器
１９  膨張弁
３５  室内ファン
４６  人検知センサ
５０  制御部
【先行技術文献】
【特許文献】
【００９２】
【特許文献１】特開２００７−１５５２６１号公報
【図１】
2013130341.tif 000003
【図２】
2013130341.tif 000004
【図３】
2013130341.tif 000005
【図４】
2013130341.tif 000006